(57)【特許請求の範囲】
【請求項１】
壁部に形成された開口部に開閉可能に配設されたドアのドア開閉装置であって、
前記ドアと連動する伝達手段と、
通行する者の操作により通常位置と操作位置とに選択的に位置変換自在な、前記壁部に取り付けられている操作手段と、
該操作手段と前記伝達手段との間に配置される操作力伝達手段と
を備え、
前記操作手段は、通行する者が触れるボタン部を備え、該ボタン部は前後方向に、通常位置と操作位置とに選択的に位置変換自在とされており、
前記操作手段は、前後方向に移動自在とされ、前方側の通常位置と、後方側の操作位置とに選択的に位置変換自在なボタン部を備え、
通行する者の操作により、前記操作手段のボタン部が、通常位置から操作位置に位置変換されると、前記操作力伝達手段を介して前記伝達手段が連動し、該伝達手段の動作に連動して前記ドアが開放方向へ移動するものであることを特徴とするドア開閉装置。
【請求項２】
前記伝達手段は、前記操作手段の操作に伴い回動する回動部材を備え、
かつ、該回動部材は、互いに一体化されて同一の回動軸で回動する小径回動部と大径回動部とを有し、該小径回動部には前記操作力伝達手段が接続されており、
該操作力伝達手段の変移に対応して小径回動部が該大径回動部と共に回動すると、該大径回動部の回転角度に対応する変位量だけドアが移動するものである請求項１に記載のドア開閉装置。
【請求項３】
前記操作力伝達手段を介して前記操作手段を通常位置に付勢する通常位置付勢手段を備え、
前記操作手段が該通常位置付勢手段による付勢力に抗して操作位置へ操作されると、該操作力伝達手段が変移して前記伝達手段の回動部材が正方向に回動し、前記ドアが開放方向へ移動することになり、
一方、該通常位置付勢手段による付勢力に抗した該操作手段に対する操作力が解放されると、該付勢力に従って該操作力伝達手段が変移して前記伝達手段の回動部材が逆方向に回動し、前記ドアが閉鎖方向へ移動するものである請求項２に記載のドア開閉装置。
【請求項４】
前記操作力伝達手段、前記伝達手段、前記壁部、及び前記ドアのうち少なくともいずれかに、該ドアの閉鎖方向への移動時間を遅延させる遅延手段が設けられている請求項１乃至請求項３のいずれかに記載のドア開閉装置。
【発明の詳細な説明】
【技術分野】
【０００１】
本発明は、引戸及び回転扉を含むドアを開閉するためのドア開閉装置に関する。
【背景技術】
【０００２】
従来、汎用されている自動ドアは電力を使用することが一般的である。しかし、近年、環境配慮の観点から節電への意識が高まっており、電力を必要としない構成のドア開閉装置もいくつか提案されている（特許文献１，２参照）。
【０００３】
例えば、特許文献１，２に開示された構成は、マットを踏破することにより、該マットに内蔵されているテコ装置が機能して、電力を用いることなくドアが自動開閉する。
【先行技術文献】
【特許文献】
【０００４】
【特許文献１】特開２０１１−１２７４１３号公報
【特許文献２】特開２０１１−１２７４１５号公報
【発明の概要】
【発明が解決しようとする課題】
【０００５】
しかしながら、特許文献１，２に開示された構成は、踏破用のマットが必要となるところ、マット上面と床面との間に段差が生じやすく、バリアフリーに対応できないという問題が生じてしまう。一方、バリアフリーに対応すべく、面一な床面を得ようとすると、床面とマット上面とを揃えるための床工事が別途必要となり、施工時の労力や負担、あるいは費用がかさむなどの問題が発生してしまう。
【０００６】
さらに、車椅子が乗載可能な大型のマットを採用した場合、上記工事が大掛かりなものになると共に、一度に複数の通行者がマットを踏破することもあるため、マット自体を堅牢で重厚な構造とする必要があり、製造コストが高くなるという問題も生まれる。また、かかる構成とすると、大きな踏破量が必要となり、さらなる構造の改善が要求されることとなる。
【０００７】
そこで、本発明は、電力を使用しないため環境に優しく、かつ、簡易構造で設置工事が容易であるドア開閉装置を提供することを目的とする。
【課題を解決するための手段】
【０００８】
本発明は、壁部に形成された開口部に開閉可能に配設されたドアのドア開閉装置であって、前記ドアと連動する伝達手段と、通行する者の操作により通常位置と操作位置とに選択的に位置変換自在な、前記壁部に取り付けられている操作手段と、該操作手段と前記伝達手段との間に配置される操作力伝達手段とを備え、通行する者の操作により、前記操作手段が通常位置から操作位置に位置変換されると、前記操作力伝達手段を介して前記伝達手段が連動し、該伝達手段の動作に連動して前記ドアが開放方向へ移動するものであることを特徴とするドア開閉装置である。
【０００９】
かかる構成は、ドアを開放するための駆動力を発生させる起点が壁部に配されることになるため、従来構成のようなマットが一切不要となる。したがって、バリアフリーに対応させるために別途床工事をする必要がなく、施工コストを低く抑えることができる。
【００１０】
また、前記伝達手段は、前記操作手段の操作に伴い回動する回動部材を備え、かつ、該回動部材は、互いに一体化されて同一の回動軸で回動する小径回動部と大径回動部とを有し、該小径回動部には前記操作力伝達手段が接続されており、該操作力伝達手段の変移に対応して小径回動部が該大径回動部と共に回動すると、該大径回動部の回転角度に対応する変位量だけドアが移動する構成が好ましい。
【００１１】
かかる構成は、前記回動部材により倍力機構を構成することにより、操作手段の操作範囲をできる限り小さくしつつドアの変位量を大きくすることが可能となる。すなわち、前記伝達手段に、操作手段に対する操作力を増幅させる機能を付与することが可能となり、わずかな操作手段の操作でドアを容易かつ確実に開放させることができる。
【００１２】
また、前記操作力伝達手段を介して前記操作手段を通常位置に付勢する通常位置付勢手段を備え、前記操作手段が該通常位置付勢手段による付勢力に抗して操作位置へ操作されると、該操作力伝達手段が変移して前記伝達手段の回動部材が正方向に回動し、前記ドアが開放方向へ移動することになり、一方、該通常位置付勢手段による付勢力に抗した該操作手段に対する操作力が解放されると、該付勢力に従って該操作力伝達手段が変移して前記伝達手段の回動部材が逆方向に回動し、前記ドアが閉鎖方向へ移動する構成が提案される。
【００１３】
かかる構成とすることにより、ドアの閉鎖方向への移動はいわば自動となるため、ドアが開放された開口部を通行する者は、ドアを閉鎖するための操作を別途行う必要がない。このため、通行時に煩わしい操作が不要となり、利便性が向上する。
【００１４】
さらに、前記操作力伝達手段、前記伝達手段、前記壁部、及び前記ドアのうち少なくともいずれかに、該ドアの閉鎖方向への移動時間を遅延させる遅延手段が設けられている構成が好ましい。
【００１５】
かかる構成とすることにより、ドアの閉鎖方向への移動時間が開放方向への移動時間に比べて遅くなるため、ドアの閉鎖が緩やかとなり、高齢者や子供であっても容易かつ安全に通行することが可能となる。
【発明の効果】
【００１６】
本発明にかかるドア開閉装置は、電力を使用しないため節電効果が高く、環境に優しい利点があると共に、簡易構造であって設置工事も簡便なため、製造及び施工コストを飛躍的に低減できるという利点もある。
【図面の簡単な説明】
【００１７】
【図１】ドア開閉装置１を示す正面図であって、ドア４が閉鎖して通行不能な状態を示す。
【図２】図１のＡ−Ａ線断面図であって、操作手段１１が通常位置αにある状態を示す。
【図３】図１のＡ−Ａ線断面図であって、操作手段１１が操作位置βにある状態を示す。
【図４】回動部材としてのプーリー８Ａの正面図である。
【図５】ドア開閉装置１を示す正面図であって、ドア４が開放して通行可能な状態を示す。
【図６】遅延手段２３を示す正面図であって、収縮状態を示す。
【図７】遅延手段２３を示す正面図であって、拡張状態を示す。
【図８】他の形態の操作手段１１を示す説明図である。
【図９】他の形態の操作手段１１を示す説明図である。
【図１０】他の形態の操作手段１１などを示す概念図である。
【図１１】他の形態の遅延手段３５を示す説明図であって、有効状態を示す。
【図１２】他の形態の遅延手段３５を示す説明図であって、無効状態を示す。
【図１３】他の形態の遅延手段４５を示す壁部における側縁部の横断面図である。
【発明を実施するための形態】
【００１８】
本発明にかかるドア開閉装置の実施例を添付図面に従って説明する。なお、下記実施例においては、引き違いドアに対して本発明を適用した構成を説明するが、本発明はこれに限定されることはなく、例えば回転扉式のドアにも適用可能である。
【００１９】
図１に示すように、ドア開閉装置１は、壁部２に形成された開口部３に開閉可能に配設されたドア４を開閉するための装置である。
【００２０】
前記ドア４は、いわゆる引き違い式の構成であり、該ドア４の上縁部に左右一対のローラー５，５が取り付けられている。
【００２１】
一方、前記開口部３の上縁部には、長手部材からなるレール６が水平に配設されており、該レール６に、前記ドア４に取り付けられたローラー５が走行自在に取り付けられている。これにより、該ドア４が壁部２に対して幅方向に移動自在に吊持されている。
【００２２】
また、前記レール６の直上位置には、該ドア４と連動する伝達手段７が配設されている。該伝達手段７は、左右一対のプーリー８Ａ，８Ｂと、該プーリー８Ａ，８Ｂに架け渡されたベルト９と、該ベルト９と前記ドア４とを繋ぐベルト固定治具１０とを有している。そして、該プーリー８Ａ，８Ｂが正方向又は逆方向に回転することにより、前記ドア４が開放方向又は閉鎖方向に移動する。
【００２３】
また、図１〜３に示すように、前記壁部２であって、前記ドア４の近傍位置には、操作手段１１が取り付けられている。さらに詳述すると、図２，３に示すように、該操作手段１１は、壁部２に設けられた軸受部１２、該軸受部１２に対して下方に延出され、該軸受部１２に回動自在に取り付けられた棒状の延長部１３、該延長部１３の下端に設けられた略球体形のボタン部１４、及び該ボタン部１４の裏面側から後方に向けて差し出されたワイヤー固定部１５を有している。そして、かかる構成により、前記ボタン部１４が前後方向に揺動自在とされ、前方側の通常位置α（図２）と、後方側の操作位置β（図３）とに選択的に位置変換自在とされている。なお、該ボタン部１４は、通行する者が触りやすい高さ位置に配置されることが好ましい。
【００２４】
また、前記操作手段１１と、前記伝達手段７との間には、操作力伝達手段としてのワイヤー１６（操作力伝達索）が架け渡されている。具体的には、該ワイヤー１６の下端が前記操作手段１１のワイヤー固定部１５にボルト等の固定具を介して固定され、上端は、該伝達手段７のプーリー８Ａを経由して、ゼンマイバネで構成される通常位置付勢手段１７（図１）に接続されている。該通常位置付勢手段１７は、ワイヤー１６を引張することにより前記ボタン部１４を通常位置αに付勢する機能を有している。また、ボタン部１４の近傍に、ワイヤー１６を適切に案内する案内プーリー１８が設けられている。
【００２５】
次に、図４に従って、ワイヤー１６が巻かれた前記プーリー８Ａについて詳述する。
該プーリー８Ａは、前記ボタン部１４の揺動に伴い正逆に回動する２段型プーリーからなる回動部材であり、回動軸Ｌを中心に回動する小径回動部２１と大径回動部２２とが一体化されてなる。そして、該小径回動部２１に、前記ワイヤー１６が巻回されており、該ワイヤー１６が変移して該小径回動部２１が回動すると、これと共に大径回動部２２も回動し、ワイヤー１６の変位量が増幅されてベルト９が変移する。ここで、該小径回動部２１の直径ａと、大径回動部２２の直径ｂは、少なくともａ＜ｂの関係が成立しており、その相対比は適宜変更可能である。
【００２６】
上記構成にあって、通行しようとする者が前記ボタン部１４を手でドア後方側へ押して通常位置α（図２）から操作位置β（図３）に位置変換させると、ワイヤー１６がボタン部１４側に引っ張られて、プーリー８Ａが正方向（図４において反時計回り）に回動する。なお、ボタン部１４を押す際には、前記通常位置付勢手段１７による付勢力に抗して操作することになる。
【００２７】
前記プーリー８Ａが正方向に回動すると、大径回動部２２の回転角度に対応してベルト９が変移し、図５に示すように、該ベルト９の動作に連動してドア４が開放方向へ移動する。そして、通行する者は、開口部３を通行することが可能となる。かかる構成は、前記プーリー８Ａの増幅機能により、ボタン部１４を操作する際のわずかな荷重でドア４を容易かつ確実に開扉することが可能となっている。
【００２８】
一方、通行する者が開口部３を通過することでその手がボタン部４から離れると、該ボタン部１４への操作力が解放され、通常位置付勢手段１７によってワイヤー１６が巻き取られ、これに伴いプーリー８Ａが逆方向（図４において時計回り）に回動する。そして、これにより、ドア４が閉鎖方向へ自動的に移動する。
【００２９】
ここで、上記ドア開閉装置１にあっては、図６，７に示すような遅延手段２３が備え付けられている。
【００３０】
さらに詳述すると、遅延手段２３は、ドア４の上縁部に配設された切り替えアーム部２４、並びに、壁部２に配設されたブロック形状の引掛部２５及びエアスプリングからなる弾縮部２６とで構成されている。具体的には、前記切り替えアーム部２４は、ドア１に固定された基板２７に軸支される上アーム２８Ａ及び下アーム２８Ｂと、該基板２７に設けられた、各アーム２８Ａ，２８Ｂの回動範囲を規制する複数の回動規制ピン２９とを備えている。さらに該一対のアーム２８Ａ，２８Ｂには、バネ３０が架け渡されている。そして、該切り替えアーム部２４は、各アーム２８Ａ，２８Ｂが回動することにより、全体としての縦長ｈが短くなる収縮状態（図６）と、縦長ｈが長くなる拡張状態（図７）とに選択的に状態変換される。
【００３１】
かかる構成にあって、図６に示すように、切り替えアーム部２４が収縮状態でドア４が開放方向へ移動し、上アーム２８Ａが引掛部２５に当接すると、該上アーム２８Ａがドア４の移動方向とは逆方向へ押圧されて回動し、バネ３０を介して繋がった下アーム２８Ｂもこれに連動して回動する。そして、該切り替えアーム部２４が図７に示すような拡張状態に変換され該引掛部２５を通過する。一方、図７に示すように、ドア４が閉鎖方向へ移動する過程で、拡張状態の下アーム２８Ｂが前記弾縮部２６の先端に接触すると、該弾縮部２６の抵抗機能によりドア４の閉鎖方向への移動時間が遅くなり、該ドア４が緩やかに閉扉すると共に、ある一定の押圧力が作用したところで各アーム２８Ａ，２８Ｂがドア４の移動方向とは逆方向へ回動し、該切り替えアーム部２４が再び図６に示すような収縮状態となる。なお、ドア４が開放されるたびに、上記工程が繰り返される。
【００３２】
これまでに述べた構成は、本発明の主旨を逸脱しない範囲で適宜変更可能である。
【００３３】
例えば、前記ワイヤー１６は、チェーンなどの他の構成が採用されてもよい。また、ワイヤー１６を構成要件としない構成であってもよい。また、前記プーリー８Ａは、２段歯車により構成されてもよいし、プーリー部分と歯車部分とが２段に配置されて一体化された構成であってもよい。また、前記プーリー８Ａは、単独の回動部材によって倍力機構を構成しているが、これに代えて、歯車やプーリー等を複数連結して伝達手段７の倍力機構を構成するようにしてもよい。また、図８に示すように、延長部１３及び軸受部１２を備えず、壁部２に取り付けられたほぼ水平なガイド部材１９のみによってボタン部１４が前後方向に案内される構成としてもよい。
【００３４】
また、図９に示すように、ドア４において入口側にも出口側にもボタン部１４が配設されている操作手段１１としてもよい。これにより、両側において上記構成を採用することができる。
【００３５】
また、図１０に示すように、操作力伝達手段として、ボタン部１４への操作に対して連動する歯車３３、及びプーリー８Ａに接続された歯車３３、及びかさ歯車３４を採用してもよい。
【００３６】
また、上記した遅延手段２３に代えて、他の構成の遅延手段３５が採用されてもよい。
例えば、図１１，１２に示す遅延手段３５は、ドア４の上縁部に回動自在に配設された切り替えプレート部３６、並びに、壁部２に配設されたブロック形状の引掛部２５及びエアスプリングからなる弾縮部２６で構成されている。具体的には、前記切り替えプレート部３６は、ドア１に固定された基板３７の中央に形成される案内溝３８と、ドア４の上縁部から突設され、かつ該案内溝３８に挿入される固定ピン３９とを有し、該固定ピン３９と該基板３７の回動軸４１との間にバネ４０が架け渡されている。
【００３７】
かかる構成にあって、図１１に示すように、ドア４が開放方向へ移動し、前記基板３７が前記引掛部２５に当接すると、該基板３７がドア４の移動方向とは逆方向へ回動して該引掛部２５に当接する有効状態から当接しなくなる無効状態となり、そして該引掛部２５を通過する。一方、図１２に示すように、ドア４が閉鎖方向へ移動する過程で、無効状態の該基板３７の下縁部が前記弾縮部２６に接触すると、該弾縮部２６の抵抗によりドア４の閉鎖方向への移動時間が遅れ、該ドア４が緩やかに閉扉すると共に、該切り替えプレート部３６が弾縮部２６に押圧されて回動して再び元の有効状態に復帰する。なお、ドア４が開放されるたびに、上記工程が繰り返される。
【００３８】
また、図１３に示す遅延手段４５としてもよい。
該遅延手段４５は、壁部２の内周縁に取り付けられたスプリングプランジャーからなる押圧部４６と、操作手段１１の延長部１３に形成された抵抗凸部４７とを有しており、該操作手段１１のボタン部１４が操作位置βから通常位置αに復帰する際に、前記押圧部４６の先端と前記抵抗凸部４７とが接触して該ボタン部１４の移動スピードが調整される。
【００３９】
なお、これまでに述べた遅延手段２３，３５，４５は、ボタン部４を操作するのに必要な操作力を上げてしまうことなく、ドア１の閉鎖時間を遅らせることができる。このような機能を備える遅延手段は、前記ワイヤー１６、前記伝達手段７、前記壁部２、及び前記ドア４のうち少なくともいずれかに取り付けることができる。
【符号の説明】
【００４０】
１                ドア開閉装置
２                壁部
３                開口部
４                ドア
７                伝達手段
８Ａ              プーリー（回動部材）
１１              操作手段
１６              ワイヤー（操作力伝達手段）
１７              通常位置付勢手段
２１              小径回動部
２２              大径回動部
２３，３５，４５  遅延手段
Ｌ                回動軸
【要約】
【課題】電力が必要なく、しかもバリアフリーに好適に対応するドア開閉装置を提供する。
【解決手段】ドア１と連動する伝達手段７と、通行する者の操作により通常位置と操作位置とに選択的に位置変換自在な操作手段１１と、操作手段１１と伝達手段７との間に架け渡されているワイヤー１６とを備え、通行する者の操作により、前記操作手段１１が通常位置から操作位置に位置変換されると、前記ワイヤー１６を介して前記伝達手段７が連動し、該伝達手段７の動作に連動して前記ドア１が開放方向へ移動する。
【選択図】図１【図１】
0005222421.tif 000002
【図２】
0005222421.tif 000003
【図３】
0005222421.tif 000004
【図４】
0005222421.tif 000005
【図５】
0005222421.tif 000006
【図６】
0005222421.tif 000007
【図７】
0005222421.tif 000008
【図８】
0005222421.tif 000009
【図９】
0005222421.tif 000010
【図１０】
0005222421.tif 000011
【図１１】
0005222421.tif 000012
【図１２】
0005222421.tif 000013
【図１３】
0005222421.tif 000014